(57)【要約】【課題】モニターその他の機器をユーザの要求する所定の位置に長く安定的に保持する。【解決手段】このモニターアーム１では、一方のアームに、軸受に一体の固定側の位置決めガイド３を備え、他方のアームに、可動側の位置決めガイド４、押圧部材５１を有するレバー６、ロック部５２を備える。各アーム間を任意の回動角度に調整した後、レバー６を所定方向に回動操作することにより押圧部材５１で可動側の位置決めガイド４を固定側の位置決めガイド３に向けて押圧し押圧部材５１とロック部５２を係合させて、各アーム間の回動角度をロックする。レバー６の反対の回動操作により、ロックが解除される。【選択図】図５
2013019440.tif 000002
【特許請求の範囲】
【請求項１】
複数のアームを備え、前記各アームがヒンジ装置を介して相互に回動可能にかつ前記各アーム間が任意の回動角度に保持可能に連結され、基端側のアームを取付先に固定され、先端側のアームに各種の機器が取り付けられて、各種の機器を取付先に前記各アームの長さの範囲で移動自在に設置する機器支持アームにおいて、
前記ヒンジ装置は、
前記各アームの連結端に形成される軸受と、
前記各アームの各軸受間に挿通される軸と、
隣り合う前記各アームのうち、少なくとも一方のアームの軸受が略筒形に形成されてその外周面に一体的に形成され、周方向に複数の溝又は穴を有する固定側の位置決めガイド、及び他方のアームに前記固定側の位置決めガイドに向けて進退可能に配設され、かつばね手段を介して常態として前記固定側の位置決めガイドに対し引き離して配置され、前記固定側の位置決めガイドに対向する端部に前記固定側の位置決めガイドの溝又は穴に係合可能な爪又は凸起を有する可動側の位置決めガイドと、
前記他方のアームに回動可能に配設され、前記可動側の位置決めガイドを前記固定側の位置決めガイドに向けて押圧可能な押圧部材を有するレバーと、
前記可動側の位置決めガイド又は前記他方のアームに設けられ、前記押圧部材により前記可動側の位置決めガイドを前記固定側の位置決めガイドに押圧した状態で前記押圧部材又は前記レバーの他の一部が係合し前記レバーの動きを規制するロック部と、
を備え、
前記各アームを相互に前記固定側及び可動側の各位置決めガイドの非係合状態により左右方向又は上下方向に回動して、前記各アーム間を任意の回動角度に調整し、
前記各レバーを所定の方向に回動操作することにより、前記押圧部材で前記可動側の位置決めガイドを前記固定側の位置決めガイドに向けて押圧するとともに、前記押圧部材又は前記レバーの他の一部と前記ロック部とを係合させて、前記各アーム間を前記任意の回動角度にロックし、
前記レバーを前記所定の方向とは反対方向に回動操作することにより、前記押圧部材又は前記レバーの他の一部と前記ロック部との係合を外し、前記各アーム間のロックを解除する、
ことを特徴とする機器支持アーム。
【請求項２】
他方のアームの軸受は軸挿通部を有する一対の軸受部からなり、一方のアームの軸受は当該他方の一対の軸受部間に嵌合可能に略半円筒形に形成されてその軸芯上に軸挿通部を有する略半円筒形の軸受からなり、前記一方のアームの略半円筒形の軸受が前記他方のアームの一対の軸受部間に前記各軸挿通部の軸芯を合わせて嵌め込まれ、軸が前記各軸受間に前記各軸挿通部を通じて挿通される請求項１に記載の機器支持アーム。
【請求項３】
他方のアーム内に、可動側の位置決めガイドの爪又は凸起側の一方の端部を支持するための一端側支持部及びその反対の他方の端部側を支持するための他端側支持部が設けられ、前記可動側の位置決めガイドは、前記一方の端部が前記一端側支持部に支持され、前記他方の端部が前記他端側支持部に支持され、前記他方の端部側と前記他端側支持部との間に前記可動側の位置決めガイドを前記一端側支持部側から前記他端側支持部側へ引張り付勢可能にコイルスプリングが介装されて、前記コイルスプリングにより、前記可動側の位置決めガイドが常態として固定側の位置決めガイドに対して引き離し方向に付勢される請求項１又は２に記載の機器支持アーム。
【請求項４】
可動側の位置決めガイドの両側面間に複合形状の開口が形成され、前記開口は前記可動側の位置決めガイドの他方の端部側から一方の端部側に向けて長い略長穴形状に形成されて、当該長穴形状の前記他方の端部側に、前記可動側の位置決めガイドを軸支するためのシャフト挿通部が設けられ、前記一方の端部側に、押圧部材を通し、当該押圧部材の押圧力を受けて前記可動側の位置決めガイドを前記固定側の位置決めガイドに向けて押圧移動するための被押圧溝、及び当該被押圧溝の終端側に前記押圧部材のロック部として形成され、前記押圧部材を嵌め込みその周囲を拘束固定するためのロック溝を有する押圧部材挿通部が設けられ、レバーは、レバー本体と、前記レバー本体の枢支側端部に前記可動側の位置決めガイドの開口両側に並列配置可能に形成されて、前記シャフト挿通部及び前記押圧部材挿通部に対応するシャフト通し部及び押圧部材通し部を有する一対のレバーベースとを備え、前記一対のレバーベースが前記可動側の位置決めガイドの開口両側に配置されて、前記各押圧部材通し部間に前記可動側の位置決めガイドの押圧部材挿通部を通じて挿通配置されるローラ軸を介してローラからなる押圧部材が装着され、これら可動側の位置決めガイド及びレバーが前記他方のアームの両側面間に配置されるとともに、前記レバー本体が前記他方のアームの内部から外部に突出されて、前記他方のアームの両側面間に配置されるシャフトが前記レバーベースの各シャフト通し部及び前記可動側の位置決めガイドのシャフト挿通部に挿通されて、前記レバーが前記可動側の位置決めガイドの他方の端部と一方の端部との間を傾動可能に配置され、前記押圧部材が前記可動側の位置決めガイドの押圧部材挿通部内に前記レバーの傾動により前記被押圧溝を押圧可能にかつ前記ロック溝に嵌合可能に配置されて、前記可動側の位置決めガイドが前記他方のアーム内に前記押圧部材の押圧により、固定側の位置決めガイドに圧接可能に配置される請求項１乃至３のいずれかに記載の機器支持アーム。
【請求項５】
複数のアームは基端側のアーム、中間のアーム、先端側のアームからなり、前記基端側のアームに、アーム全体を取付先に支持固定するための固定ベースを備え、前記先端側のアームに、各種の機器を取り付けるための台座を備える請求項１乃至４のいずれかに記載の機器支持アーム。
【請求項６】
台座と先端側のアームは、前記台座の背面側に設けられる軸受と前記先端側のアームに設けられる軸受とこれら軸受間に挿通される軸とにより、前記台座が前記先端側のアームに各アーム間の回動方向に対して直交する方向に回動可能に取り付けられ、前記台座又は前記先端側のアームのいずれか一方の軸受の軸回りに略円弧状に並べて形成される複数のロック溝又はロック穴、及び他方の軸受部の軸回りに前記台座の回動とともに前記一方の軸受部の各ロック溝又は各ロック穴上を相対移動可能にかつ前記各ロック溝又は各ロック穴に対向可能に形成される少なくとも１つのガイド穴と、前記他方の軸受部のガイド穴上に前記各ロック溝又は各ロック穴に向けて進退可能に配設され、かつばね手段により常態として前記各ロック溝又は各ロック穴に向けて押圧付勢されるロックピンとを有し、前記ロックピンのスライド操作により前記ロックピンと前記各ロック溝又は各ロック穴とを係脱するロック装置により、前記台座の前記先端側のアームに対する回動角度が固定保持される請求項５に記載の機器支持アーム。
【請求項７】
台座は略平面状に形成されて、その略中心に挿通される軸を介して背面側の軸受に回転可能に取り付けられ、前記背面側の軸受に前記軸の周囲で前記台座の背面を押圧可能に挿着されるねじ式のストッパーにより前記台座の回転角度が固定保持される請求項５又は６に記載の機器支持アーム。
【発明の詳細な説明】
【技術分野】
【０００１】
本発明は、モニター、パソコン、テレビその他各種の機器を左右方向又は上下方向に移動自在に支持する機器支持アームに関する。
【背景技術】
【０００２】
従来より、モニター、パソコン、テレビなどの各種の機器がオフィスや家庭などで、また自動車その他の車両、飛行機、船舶などで、各種の形式の機器支持アームにより設置されて使用されている。一般に、機器支持アームは、複数のアームがヒンジ装置を介して相互に回動可能にかつ各アームが任意の回動角度に保持可能に連結されており、基端側のアームが取付先に固定され、先端側のアームに各種の機器が取り付けられて、各種の機器が取付先に各アームの長さの範囲で移動自在に設置されるようになっている。この種の機器支持アームが例えば特許文献１により提案されている。この文献１の支持アームは複数のアームが回動抵抗を有する関節部（ヒンジ装置）を介して回動可能に接続され、この支持アームの先端に情報モニターが枢支されて、情報モニターを所望の方向に向けて保持するようになっている。
【先行技術文献】
【特許文献】
【０００３】
【特許文献１】特開平９−３２６９８０号公報
【発明の概要】
【発明が解決しようとする課題】
【０００４】
しかしながら、上記従来の機器支持アームでは、複数のアーム間の各関節部材が皿ばねや座金などを用いて各アーム間に摩擦抵抗作用を付与するヒンジ機構により構成され、このような皿ばねや座金などの摩擦抵抗作用のみでモニターその他各種の機器の荷重と各アームの荷重を受けるため、この関節部材の有する各アーム間の角度を保持する能力に対して荷重が大きく、この支持アームの使用後間もなくして、モニターその他各種の機器を支持する能力は次第に低下し、機器は徐々に下がり、ユーザの要求する所定の位置に長く、安定的に保持することができない、という問題がある。また、この種の機器支持アームは例えば車両などで使用される場合、振動を受けやすいため、機器が下がりやすく、ユーザが使用するのに最適な位置に長く、安定的に支持することが難しい、という問題がある。
【０００５】
本発明は、このような従来の問題を解決するものであり、モニターその他各種の機器を、ユーザの要求する所定の位置に長く、安定的に保持することのできる優れた機器支持アームを提供すること、を目的とする。
【課題を解決するための手段】
【０００６】
上記目的を達成するために、本発明は、複数のアームを備え、前記各アームがヒンジ装置を介して相互に回動可能にかつ前記各アーム間が任意の回動角度に保持可能に連結され、基端側のアームを取付先に固定され、先端側のアームに各種の機器が取り付けられて、各種の機器を取付先に前記各アームの長さの範囲で移動自在に設置する機器支持アームにおいて、前記ヒンジ装置は、前記各アームの連結端に形成される軸受と、前記各アームの各軸受間に挿通される軸と、隣り合う前記各アームのうち、少なくとも一方のアームの軸受が略筒形に形成されてその外周面に一体的に形成され、周方向に複数の溝又は穴を有する固定側の位置決めガイド、及び他方のアームに前記固定側の位置決めガイドに向けて進退可能に配設され、かつばね手段を介して常態として前記固定側の位置決めガイドに対し引き離して配置され、前記固定側の位置決めガイドに対向する端部に前記固定側の位置決めガイドの溝又は穴に係合可能な爪又は凸起を有する可動側の位置決めガイドと、前記他方のアームに回動可能に配設され、前記可動側の位置決めガイドを前記固定側の位置決めガイドに向けて押圧可能な押圧部材を有するレバーと、前記可動側の位置決めガイド又は前記他方のアームに設けられ、前記押圧部材により前記可動側の位置決めガイドを前記固定側の位置決めガイドに押圧した状態で前記押圧部材又は前記レバーの他の一部が係合し前記レバーの動きを規制するロック部とを備え、前記各アームを相互に前記固定側及び可動側の各位置決めガイドの非係合状態により左右方向又は上下方向に回動して、前記各アーム間を任意の回動角度に調整し、前記各レバーを所定の方向に回動操作することにより、前記押圧部材で前記可動側の位置決めガイドを前記固定側の位置決めガイドに向けて押圧するとともに、前記押圧部材又は前記レバーの他の一部と前記ロック部とを係合させて、前記各アーム間を前記任意の回動角度にロックし、前記レバーを前記所定の方向とは反対方向に回動操作することにより、前記押圧部材又は前記レバーの他の一部と前記ロック部との係合を外し、前記各アーム間のロックを解除する、ことを要旨とする。
本発明はまた、各部に次のような構成を備えることが好ましい。
（１）他方のアームの軸受は軸挿通部を有する一対の軸受部からなり、一方のアームの軸受は当該他方の一対の軸受部間に嵌合可能に略半円筒形に形成されてその軸芯上に軸挿通部を有する略半円筒形の軸受からなり、前記一方のアームの略半円筒形の軸受が前記他方のアームの一対の軸受部間に前記各軸挿通部の軸芯を合わせて嵌め込まれ、軸が前記各軸受間に前記各軸挿通部を通じて挿通される。
（２）他方のアーム内に、可動側の位置決めガイドの爪又は凸起側の一方の端部を支持するための一端側支持部及びその反対の他方の端部側を支持するための他端側支持部が設けられ、前記可動側の位置決めガイドは、前記一方の端部が前記一端側支持部に支持され、前記他方の端部が前記他端側支持部に支持され、前記他方の端部側と前記他端側支持部との間に前記可動側の位置決めガイドを前記一端側支持部側から前記他端側支持部側へ引張り付勢可能にコイルスプリングが介装されて、前記コイルスプリングにより、前記可動側の位置決めガイドが常態として固定側の位置決めガイドに対して引き離し方向に付勢される。
（３）可動側の位置決めガイドの両側面間に複合形状の開口が形成され、前記開口は前記可動側の位置決めガイドの他方の端部側から一方の端部側に向けて長い略長穴形状に形成されて、当該長穴形状の前記他方の端部側に、前記可動側の位置決めガイドを軸支するためのシャフト挿通部が設けられ、前記一方の端部側に、押圧部材を通し、当該押圧部材の押圧力を受けて前記可動側の位置決めガイドを前記固定側の位置決めガイドに向けて押圧移動するための被押圧溝、及び当該被押圧溝の終端側に前記押圧部材のロック部として形成され、前記押圧部材を嵌め込みその周囲を拘束固定するためのロック溝を有する押圧部材挿通部が設けられ、レバーは、レバー本体と、前記レバー本体の枢支側端部に前記可動側の位置決めガイドの開口両側に並列配置可能に形成されて、前記シャフト挿通部及び前記押圧部材挿通部に対応するシャフト通し部及び押圧部材通し部を有する一対のレバーベースとを備え、前記一対のレバーベースが前記可動側の位置決めガイドの開口両側に配置されて、前記各押圧部材通し部間に前記可動側の位置決めガイドの押圧部材挿通部を通じて挿通配置されるローラ軸を介してローラからなる押圧部材が装着され、これら可動側の位置決めガイド及びレバーが前記他方のアームの両側面間に配置されるとともに、前記レバー本体が前記他方のアームの内部から外部に突出されて、前記他方のアームの両側面間に配置されるシャフトが前記レバーベースの各シャフト通し部及び前記可動側の位置決めガイドのシャフト挿通部に挿通されて、前記レバーが前記可動側の位置決めガイドの他方の端部と一方の端部との間を傾動可能に配置され、前記押圧部材が前記可動側の位置決めガイドの押圧部材挿通部内に前記レバーの傾動により前記被押圧溝を押圧可能にかつ前記ロック溝に嵌合可能に配置されて、前記可動側の位置決めガイドが前記他方のアーム内に前記押圧部材の押圧により、固定側の位置決めガイドに圧接可能に配置される。
（４）複数のアームは基端側のアーム、中間のアーム、先端側のアームからなり、前記基端側のアームに、アーム全体を取付先に支持固定するための固定ベースを備え、前記先端側のアームに、各種の機器を取り付けるための台座を備える。
（５）台座と先端側のアームは、前記台座の背面側に設けられる軸受と前記先端側のアームに設けられる軸受とこれら軸受間に挿通される軸とにより、前記台座が前記先端側のアームに各アーム間の回動方向に対して直交する方向に回動可能に取り付けられ、前記台座又は前記先端側のアームのいずれか一方の軸受の軸回りに略円弧状に並べて形成される複数のロック溝又はロック穴、及び他方の軸受部の軸回りに前記台座の回動とともに前記一方の軸受部の各ロック溝又は各ロック穴上を相対移動可能にかつ前記各ロック溝又は各ロック穴に対向可能に形成される少なくとも１つのガイド穴と、前記他方の軸受部のガイド穴上に前記各ロック溝又は各ロック穴に向けて進退可能に配設され、かつばね手段により常態として前記各ロック溝又は各ロック穴に向けて押圧付勢されるロックピンとを有し、前記ロックピンのスライド操作により前記ロックピンと前記各ロック溝又は各ロック穴とを係脱するロック装置により、前記台座の前記先端側のアームに対する回動角度が固定保持される。
（６）台座は略平面状に形成されて、その略中心に挿通される軸を介して背面側の軸受に回転可能に取り付けられ、前記背面側の軸受に前記軸の周囲で前記台座の背面を押圧可能に挿着されるねじ式のストッパーにより前記台座の回転角度が固定保持される。
【発明の効果】
【０００７】
本発明の機器支持アームによれば、ヒンジ装置の上記の構成により、隣り合う各アーム間に複数の溝又は穴を有する固定側の位置決めガイドと爪又は凸起を有する可動側の位置決めガイドを介在し、各アームを相互に左右方向又は上下方向の任意の回動角度に調整して、レバーを所定の方向に回動操作することにより、押圧部材で可動側の位置決めガイドの爪又は凸起を固定側の位置決めガイドの溝又は穴に向けて押圧し、押圧部材又はレバーの他の一部とロック部とを係合させて、各アーム間を任意の回動角度にロックするようにしたので、各アームを任意の角度に容易に調整し、強固に固定することができ、モニターその他の各種の機器を、ユーザの要求する所定の位置に長く、安定的に保持することができる。また、レバーを所定の方向とは反対方向に回動操作することにより、押圧部材又はレバーの他の一部とロック部との係合を外し、各アーム間のロックを解除することができるので、各アーム間の角度の変更調整も容易に行うことができる。
【図面の簡単な説明】
【０００８】
【図１】本発明の一実施の形態における機器支持アームの平面図
【図２】同機器支持アームの左側面図
【図３】同機器支持アームの正面図
【図４】同機器支持アームの底面側から見た断面図
【図５】同機器支持アームの右側から見た断面図
【図６】同機器支持アームの特に中間のアームで断面した正面側から見た断面図
【図７】同機器支持アームに採用される可動側の位置決めガイド、レバー、押圧部材、ロック部などの斜視図
【図８】同機器支持アームの動作を示し、基端側のアームに対して中間のアームを左右方向又は上下方向に回動させて、アーム全体の左右方向又は上下方向の角度を調整する状態を示す図
【図９】同機器支持アームの動作を示し、中間のアームに対して先端側のアームを左右方向又は上下方向に回動させて、台座プレートの左右方向又は上下方向の角度を調整する状態を示す図
【図１０】同機器支持アームの動作を示し、先端側のアームに対して台座プレート背面の取付ブラケットを上下方向又は左右方向に回動させて、台座プレートの上下方向又は左右方向の角度を調整する状態を示す図
【図１１】同機器支持アームの動作を示し、台座プレート背面の取付ブラケットに対して台座プレートを軸回りに回転させて、台座プレートの回転角度を調整する状態を示す図
【発明を実施するための形態】
【０００９】
次に、この発明を実施するための形態について図を用いて説明する。なお、この実施の形態では、機器支持アームについて、特にモニターを乗用車やトラックなどの車両内に設置するための車両用のモニターアームとして例示し、以下の説明では、この機器支持アームをモニターアームと称する。
【００１０】
図１乃至図６にモニターアームを示し、図７にその要部を示している。図１及び図２に示すように、モニターアーム１は複数のアーム１１、１２、１３を備え、各アーム１１、１２、１３がヒンジ装置２、２を介して相互に水平方向（左右方向）又は垂直方向（上下方向）に回動可能にかつ各アーム１１、１２、１３間が任意の回動角度に保持可能に連結される。そして、基端側のアーム１１に、アーム１１〜１３全体を取付先である車両室内（のインパネなど）に支持固定するための固定ベース１４が設けられ、先端側のアーム１３に、モニターを取り付けるための台座プレート１５が設けられる。
このモニターアーム１の場合、複数のアーム１１、１２、１３は、３つのアームで構成され、基端側のアーム１１と、中間のアーム１２と、先端側のアーム１３とを備える。
また、この場合、中間のアーム１２が最も長く、基端側のアーム１１が最も短く、先端側のアーム１３が中間のアーム１２よりも短く、基端側のアーム１１よりも長くなっている。
【００１１】
図１及び図２に示すように、中間のアーム１２は全体がアルミ板により所定の長さを有する長い略角筒形状に形成されて、上面１２１、下面１２２、及び両側面１２３、１２３を有し、先端側、基端側の各アーム１３、１１との連結端となる前後端面が開口され、この前後端面にそれぞれ軸受２２、２２が形成される。この場合、中間のアーム１２は上下に２分割された断面略逆Ｕ字形及び断面Ｕ字形をなす上部側のアーム部材及び下部側のアーム部材が一体的に結合されて中空の略角筒形に構成される。上下の各面１２１、１２２は細長い矩形状に形成され、その前後両端部がそれぞれ両側面１２３、１２３の両端部よりも前後方向に略円弧状に突出され、その中心に軸挿通部２２０、２２０が貫通形成されて、先端側、基端側の各アーム１３、１１（の軸受２３、２１）が嵌合可能な一対の軸受部２２１，２２１、２２１，２２１になっている。また、上面１２１の後側半面の中央に後述する後側のレバー６を通すためのスリット１２４が前後方向に向けて形成され、下面１２２の前側半面の中央に後述する前側のレバー６を通すためのスリット１２５が前後方向に向けて形成される。両側面１２３、１２３は細長い矩形状に形成され、この両側面１２３、１２３には、上下の各面１２１、１２２のスリット１２４、１２５の前後方向中央に対応する所定の位置にそれぞれ、後述する前後の各レバー６、６を軸支するためのシャフト挿通部１２６，１２６、１２６，１２６が形成される。なお、このアーム１２の上面１２１、下面１２２及び両側面１２３，１２３には適宜の位置にモニターから延びる各種のケーブルを拘束するためのクランプ１２７が取り付けられる。
また、図４及び図５に示すように、このアーム１２の内部には、前後の各一対の軸受部２２１，２２１、２２１，２２１よりも内方で両側面１２３、１２３の各シャフト挿通部１２６，１２６、１２６，１２６の前後所定の位置にそれぞれ、後述する前後の各可動側の位置決めガイド４、４の一方の端部側を支持する一端側支持部２４、２４及びその反対の他方の端部側を支持する他端側支持部２５、２５が設けられる。この場合、一端側支持部２４、２４はそれぞれ全体が中間のアーム１２内に嵌合可能なフレーム構造になっていて、その略中央に可動側の位置決めガイド４、４の一方の端部をスライド可能に保持可能なフレーム２４１、２４１を有し、これらの支持部２４、２４はそれぞれ中間のアーム１２内において両端部側の所定の位置に一対の軸受部２２１、２２１に近接してねじにより取り付けられる。他端側支持部２５、２５はそれぞれ全体が中間のアーム１２内に嵌合可能なプレート形状になっていて、その略中央に可動側の位置決めガイド４、４の他方の端部をスライド可能に挿通支持するための挿通穴２５０、２５０を有し、これらの支持部２５、２５はそれぞれ中間のアーム１２内において中央側の所定の位置にねじにより取り付けられる。
【００１２】
図１及び図２に示すように、基端側のアーム１１は全体がアルミニウム合金により所定の長さを有するブロック状に形成され、中間のアーム１２との連結端となる前端部に略筒形の軸受２１が形成されて、その外周面に周方向に複数の溝又は穴からなる固定側の位置決めガイド３が併せて形成される。この場合、基端側のアーム１１は前端部が半円筒形、後端部が角筒形の複合形状を有するブロックからなる。前端部は中間のアーム１２の後端部の一対の軸受部２２１，２２１間に嵌合可能な大きさを有する半円筒形に形成され、その軸芯に軸挿通部２１０が貫通形成されて、半円筒形の軸受２１をなす。そして、この軸受２１の外周面には、図２及び図４に示すように、周方向に向けて複数の溝（縦溝）３０１が一体的に形成されて、軸受２１の外周面がギア形状になっている。このギア形状が後述する固定側の位置決めガイド３をなす。後端部はこの軸受２１の後部延長上に角筒形に形成され、後面が略矩形状の凹状に形成されて、その四隅に固定ベース取付用のねじ穴１１０が設けられる。
【００１３】
図１及び図２に示すように、先端側のアーム１３は全体がアルミニウム合金により所定の長さを有するブロック状に形成され、中間のアーム１２との連結端となる後端部に略筒形の軸受２３が形成されて、その外周面に周方向に複数の溝又は穴からなる固定側の位置決めガイド３が併せて形成される。この場合、先端側のアーム１３は後端部が半円筒形、前端部に一対の円弧形状の平板を有する複合形状のブロックからなる。後端部は、基端側のアーム１１の前端部と同様に、中間のアーム１２の前端部の一対の軸受部２２１，２２１間に嵌合可能な大きさを有する略半円筒形に形成され、その軸芯に軸挿通部２３０が貫通形成されて、半円筒形の軸受２３をなす。そして、この軸受２３の外周面には、図２及び図４に示すように、周方向に向けて複数の溝（縦溝）３０１が一体的に形成されて、軸受２３の外周面がギア形状になっている。このギア形状が後述する固定側の位置決めガイド３をなす。前端部は一対の円弧形状の平板１３１，１３１からなり、それぞれ、軸受２３の外周面の前部に（これらの平板１３１，１３１の間に一定の間隔を持たせて）前方に向けて突出され、各平板１３１，１３１の中心に軸挿通部１３０、１３０が貫通形成されて、台座プレート１５を取り付けるための一対の軸受部（１３１、１３１）をなす。また、この一対の軸受部の各平板１３１，１３１又はいずれか一方の平板１３１の軸挿通部１３０の回りに、この場合、円弧状の端縁部に沿って、複数の小さな溝又は穴が略円弧状に並べて形成される。これらの溝又は穴は後述するロック装置８のロック溝８１（又はロック穴）をなす。
【００１４】
図４及び図５に示すように、ヒンジ装置２、２はそれぞれ、各アーム１１、１２、１３の連結端に形成される軸受２１、２２、２３と、各アーム１１、１２、１３の各軸受２１、２２、２３間に挿通される軸２１２、２２２と、隣り合う各アーム１１、１２、１３のうち、少なくとも一方のアーム１１、１３の軸受２１、２３が略筒形に形成されてその外周面に一体的に形成され、周方向に複数の溝３０１を有する固定側の位置決めガイド３、及び他方のアーム１２に固定側の位置決めガイド３に向けて進退可能に配設され、かつばね手段を介して常態として固定側の位置決めガイド３に対し引き離して配置され、固定側の位置決めガイド３側の端部に固定側の位置決めガイド３の溝３０１に係合可能な爪４０１を有する可動側の位置決めガイド４と、他方のアーム１２に回動可能に配設され、可動側の位置決めガイド４を固定側の位置決めガイド３に向けて押圧可能な押圧部材５１を有するレバー６と、可動側の位置決めガイド４に設けられ、押圧部材５１により可動側の位置決めガイド４を固定側の位置決めガイド３に押圧した状態で押圧部材５１が係合しレバー６の動きを規制するロック部５２とを備える。
【００１５】
この場合、既述のとおり、中間のアーム１２の前後の軸受２２，２２はそれぞれ軸挿通部２２０，２２０を有する一対の軸受部２２１，２２１からなり、基端側、先端側の各アーム１１、１３の軸受２１、２３がそれぞれ、中間のアーム１２の一対の軸受部２２１，２２１間、２２１，２２１間に嵌合可能に略半円筒形に形成され、固定側の位置決めガイド３、３がそれぞれ、各軸受２１、２３の外周面に周方向に向けて複数の溝（縦溝）３０１が一体的に形成されて、各軸受２１、２３に一体化される。なお、この場合、各溝３０１は各軸受２１、２３の外周面に１０°刻みで形成される。これら基端側、先端側のアーム１１、１３の軸受２１、２３はそれぞれ、中間のアーム１２の前後の各一対の軸受部２２１，２２１間、２２１，２２１間に嵌め込まれ、これら軸受２１、２３の両側に各軸挿通部２１０、２３０と同芯的にワッシャ２６，２６、２６，２６が配置され、さらに、中間のアーム１２の前後の各軸受部２２１，２２１、２２１，２２１の両側に各軸挿通部２２０、２２０と同芯的にワッシャ２６，２６、２６，２６、皿ばね座金２７，２７、２７，２７が順次配置されて、軸２１２、２２２が各軸受２２、２１間、２２、２３間に各軸挿通部２２０、２１０、各軸挿通部２２０、２３０を通じて挿通される。このようにして基端側、先端側のアーム１１、１３の軸受２１、２３がそれぞれ、中間のアーム１２の前後の各一対の軸受部２２１，２２１間、２２１，２２１間に軸２１２，２２２を介して連結され、これらの軸受２１、２３に一体の固定側の位置決めガイド３、３が中間のアームの前後端部の開口に対向配置される。
【００１６】
一方、中間のアーム１２内には、既述のとおり、可動側の位置決めガイド４の一方の端部側を支持する一端側支持部２４、２４及びその反対の他方の端部側を支持する他端側支持部２５、２５が設けられる。そして、これらの一端側支持部２４、２４及び他端側支持部２５、２５にそれぞれ、可動側の位置決めガイド４、４が１つずつ取り付けられる。これら可動側の位置決めガイド４、４はそれぞれ、アルミニウム合金により上部又は下部に凹凸形状を有する横に長い略矩形のプレート形状に形成される。
【００１７】
後側の可動側の位置決めガイド４（４Ｒ）の場合、図５及び図７に示すように、上面４１の略中央より少し前端側（後側の固定側の位置決めガイド３側の端部とは反対の端部側）に係止突起４１１が形成される。下面４２は平面状に形成される。後端面４３（固定側の位置決めガイド３に向けられる一方の端面）は固定側の位置決めガイド３の各溝３０１に係合可能な縦方向に延びる爪４０１が、この場合、３つ形成される。前端面４４（その反対の他方の端面）は平面状に形成される。左右両側面４５、４５は平面状に形成され、この両側面４５、４５間に切り欠き４５５と複合形状の開口４５０が形成される。切り欠き４５５は前端側から略中央付近まで略Ｕ字形に（この場合、略Ｕ字形の上部は前端側に、下部は中央付近に向けて横向きの略Ｕ字形に）形成され、この切り欠き４５５内に前端部から略中央付近に向けて延びる突状部４５６が設けられる。この突状部４５６にコイルスプリング５３が装着される。開口４５０は可動側の位置決めガイド４の前端面４４側から後端面４３側に向けて長い略長穴形状に形成されて、当該長穴形状の前部側に、可動側の位置決めガイド４を軸支するシャフト７のためのシャフト挿通部４５１が設けられ、後部側に、押圧部材５１を通し、当該押圧部材５１の押圧力を受けて後側の可動側の位置決めガイド４を後側の固定側の位置決めガイド３に向けて押圧移動するための被押圧溝４５３、及び当該被押圧溝４５３の下方終端側に押圧部材５１のロック部５２として形成され、押圧部材５１を嵌め込みその周囲を拘束固定するためのロック溝４５４を有する押圧部材挿通部４５２が設けられる。そして、この可動側の位置決めガイド４に押圧部材５１がレバー６とともに取り付けられる。押圧部材５１はローラ５１０からなる。レバー６は、レバー本体６１と、レバー本体６１の枢支側端部に後側の可動側の位置決めガイド４の開口４５０両側に並列配置可能に形成されて、可動側の位置決めガイド４のシャフト挿通部４５１及び押圧部材挿通部４５２に対応するシャフト通し部６２１及び押圧部材通し部６２２を有する一対のレバーベース６２、６２とを一体的に備える。この場合、レバー６は細長いレバー本体形状部と上部が矩形で下部が横に大小２つの円を合わせてなる複合形状のレバーベース形状部を有する２つのレバー基材がレバー本体形状部を接合されて形成される。そして、各レバーベース６２、６２の上部間に作動ピン６３が挿通される。このようにしてレバー６は、図６に示すように、一対のレバーベース６２、６２が可動側の位置決めガイド４の開口４５０両側に上方から跨って配置され、各押圧部材通し部６２２、６２２間に可動側の位置決めガイド４の押圧部材挿通部４５２を通じて挿通配置されるローラ軸５１１を介して、押圧部材５１のローラ５１０が装着され、押圧部材５１がレバー６とともに可動側の位置決めガイド４に一体的に組み立てられる。
【００１８】
前側の可動側の位置決めガイド４Ｆの場合、図５に示すように、後側の可動側の位置決めガイド４Ｒと同じ形状、構造を有するが、後側の可動側の位置決めガイド４Ｒに対して１８０°反転された向きに取り付けられるため、各部の向きが後側の可動側の位置決めガイド４Ｒとは正反対となる。すなわち、下面４１の略中央より少し後端側（前側の固定側の位置決めガイド３側の端部とは反対の端部側）に係止突起４１１が形成される。上面４２は平面状に形成される。前端面４３（前側の固定側の位置決めガイド３に向けられる一方の端面）は固定側の位置決めガイド３の各溝３０１に係合可能な縦方向に延びる爪４０１が、この場合、３つ形成される。後端面４４（その反対の他方の端面）は平面状に形成される。左右両側面４５、４５は平面状に形成され、この両側面４５、４５間に切り欠き４５５と複合形状の開口４５０が形成される。切り欠き４５５は後端側から略中央付近まで略Ｕ字形に（この場合、略Ｕ字形の上部は後端側に、下部は中央付近に向けて横向きの略Ｕ字形に）形成され、この切り欠き４５５内に後端部から略中央付近に向けて延びる突状部４５６が設けられる。この突状部４５６にコイルスプリング５３が装着される。開口４５０は可動側の位置決めガイド４の後端面４４側から前端面４３側に向けて長い略長穴形状に形成されて、当該長穴形状の後部側に、可動側の位置決めガイド４を軸支するためのシャフト挿通部４５１が設けられ、前部側に、押圧部材５１を通し、当該押圧部材５１の押圧力を受けて前側の可動側の位置決めガイド４を前側の固定側の位置決めガイド３に向けて押圧移動するための被押圧溝４５３、及び当該被押圧溝４５３の上方終端側に押圧部材５１のロック部５２として形成され、押圧部材５１を嵌め込みその周囲を拘束固定するためのロック溝４５４を有する押圧部材挿通部４５２が設けられる。そして、この可動側の位置決めガイド４に押圧部材５１がレバー６とともに取り付けられる。押圧部材５１はローラ５１０からなる。レバー６は、レバー本体６１と、レバー本体６１の枢支側端部に前側の可動側の位置決めガイド４Ｆの開口４５０両側に並列配置可能に形成されて、可動側の位置決めガイド４のシャフト挿通部４５１及び押圧部材挿通部４５２に対応するシャフト通し部６２１及び押圧部材通し部６２２を有する一対のレバーベース６２、６２とを一体的に備える。この場合、レバー６は細長いレバー本体形状部と下部が矩形で上部が横に大小２つの円を合わせてなる複合形状のレバーベース形状部を有する２つのレバー基材がレバー本体形状部を合わせてねじにより締結されて形成される。そして、各レバーベース５２の下部間に作動ピン６３が挿通される。このようにしてレバー６は、一対のレバーベース６２、６２が可動側の位置決めガイド４の開口４５０両側に下方から跨って配置され、各押圧部材通し部６２２、６２２間に可動側の位置決めガイド４の押圧部材挿通部４５２を通じて挿通配置されるローラ軸５１１を介して、押圧部材５１のローラ５１０が装着され、押圧部材５１がレバー６とともに可動側の位置決めガイド４に一体的に組み立てられる。
【００１９】
このようにして可動側の位置決めガイド４Ｒ、４Ｆはそれぞれ、中間のアーム１２内で、爪４０１側の一方の端部が一端側支持部２４のフレーム２４１に挿通されて支持され、他方の端部が他端側支持部２５の挿通穴２５０に挿通されて支持され、可動側の位置決めガイド４の他方の端部側に切り欠かれて形成された突状部４５６に装着されたコイルスプリング５３が切り欠き４５５の端部と他端側支持部２５との間で圧縮されて、各可動側の位置決めガイド４が各固定側の位置決めガイド３に対して引き離し方向に引張り付勢される。また、これら可動側の位置決めガイド４、４の取り付けとともに、後側のレバー６のレバー本体６１が中間のアーム１２の内部から上面のスリット１２４を通じて外部に突出され、前側のレバー６のレバー本体６１が中間のアーム１２の内部から下面のスリット１２５を通じて外部に突出される。そして（図６参照）、２本のシャフト７、７がそれぞれ、中間のアーム１２の両側面１２３、１２３の前後のシャフト挿通部１２６，１２６間、１２６，１２６間にそれぞれ前後の一対の各レバーベース６２，６２、６２，６２の各シャフト通し部６２１，６２１間、６２１，６２１間及び各可動側の位置決めガイド４のシャフト挿通部４５１、４５１を通じて挿通され、各レバー６、６が中間のアーム１２に各可動側の位置決めガイド４、４の他方の端部と一方の端部との間を傾動可能に軸支される。このようにして各レバー６、６と各押圧部材５１、５１が各可動側の位置決めガイド４、４に作動連結され、各レバー６、６を各固定側の位置決めガイド３、３方向へ傾動することにより、各可動側の位置決めガイド４、４の押圧部材挿通部４５２、４５２内で各押圧部材５１、５１が被押圧溝４５３、４５３を押圧して各ロック溝４５４、４５４に嵌まり込み、各可動側の位置決めガイド４、４を各固定側の位置決めガイド３、３に圧接してこの状態を固定保持し、また、各レバー６、６を反対方向に傾動することにより、各レバー６、６の作動ピン６３、６３と各可動側の位置決めガイド４、４の係止突起４１１、４１１が係合し、各可動側の位置決めガイド４、４を引き戻して各固定側の位置決めガイド５、５から引き離すようになっている。
【００２０】
図４及び図５に示すように、固定ベース１４は全体が鋼材により略矩形のプレート形状に形成されて、基端側のアーム１１の後面側の各ねじ穴１１０に対応する四隅にねじ挿通穴１４０が設けられ、その周囲にさらに固定ベース１４を車両室内に取り付けるための複数のねじ挿通穴１４１が設けられる。この固定ベース１４は基端側のアーム１１の後面に固定ベース１４の各ねじ挿通穴１４０からねじが挿通されてアーム１１の各ねじ穴１１０に締結されて取り付けられる。
【００２１】
図３に示すように、台座プレート１５は全体が鋼材により所定の大きさを有する略矩形の平板状に形成され、その正面中央に凹部１５１が背面側に凸状に突出して形成され、その中心にボルト挿通穴１５２が穿たれる。また、図４及び図５に示すように、この台座プレート１５の後部には取付ブラケット１６が設けられる。この取付ブラケット１６は鋼材により断面コ字形に形成され、前面１６１に台座プレート１５を取り付けるための取付穴１６０が穿たれ、両側面１６２、１６２がそれぞれ前面１６１の左右両側に先端側のアーム１３の前側の一対の軸受部１３１、１３１が嵌合可能な間隔で前面１６１の左右両側から後方に向けて略台形状又は略三角形状に突出され、それぞれの突出端の略中央に軸挿通部１６３、１６３が穿たれて、一対の軸受部１６４、１６４になっている。このようにして取付ブラケット１６の前面１６１に取付穴１６０に同芯的にワッシャが介在配置されて台座プレート１５が重ねられ、これら取付ブラケットの取付穴１６０と台座プレート１５のボルト挿通穴１５２が合わせられた状態で、台座プレート１５上にボルト挿通穴１５２に同芯的にワッシャ、皿ばね座金、平座金が順次配置されて、これらの穴１６０、１５２にボルト１５３が台座プレート１５の前面から通され、取付ブラケット１６の前面１６１の背面側でナット１５４に螺合されて、取付ブラケット１６の前面１６１に台座プレート１５がボルト１５３を回転中心として回転可能にかつワッシャ等による摩擦抵抗作用により任意の回転角度に保持可能に取り付けられる。
そして、この台座１５の取付ブラケット１６が先端側のアーム１３にヒンジ結合される。この場合、取付ブラケット１６の一対の軸受部１６４、１６４間に、先端側のアーム１３の一対の軸受部１３１、１３１が配置され、それぞれの軸挿通部１６３，１６３、１３０，１３０が合せられる。この状態から、先端側のアーム１３の各軸受部１３１、１３１の各軸挿通部１３０、１３０間に円筒状のスペーサ１６５が配置され、このスペーサ１６５上にトーションコイルスプリング１６６が所定方向に巻装される。この場合、トーションコイルスプリング１６６の一方の係止端が取付ブラケット１６の前面１６１に係止（固定）され、他方の係止端が先端側のアーム１３の前面に係止（固定）される。そして、先端側のアーム１３の一対の軸受部１３１、１３１の両側に各軸挿通部１３０、１３０と同芯的にワッシャ１６８が配置され、取付ブラケット１６の各軸受部１６４、１６４の片側一方に軸挿通部１６３と同芯的に平座金１６９、皿ばね座金１７０が順次配置され、片側他方に軸挿通部１６３と同芯的に平座金１６９が配置されて、取付ブラケット１６及び先端側のアーム１３の各軸受部１６４，１６４、１３１，１３１間に、ピン１７１が、この取付ブラケット１６の片側一方から、各軸挿通部１６３，１６３、１３０，１３０及びスペーサ１６５を通して挿通され、かしめられる。このようにして取付ブラケット１６の各軸受部１６４、１６４、先端側のアーム１３の各軸受部１３１、１３１はともにワッシャ１６８、平座金１６９及び皿ばね座金１７０を介して締め付けられ、また、スペーサ１６５上のトーションコイルスプリング１６６の一方の係止端が取付ブラケット１６の前面１６１に係止（固定）され、他方の係止端が先端側のアーム１３の前面に係止（固定）されて、取付ブラケット１６が先端側アーム１３に対して上方に回動する方向に所定のばね力で付勢されるので、台座プレート１５を上下方向に向けて回動させる場合に、ワッシャ１６８、平座金１６９及び皿ばね座金１７０により取付ブラケットの一対の軸受部１６４、１６４と先端側のアーム１３の一対の軸受部１３７、１３７との間に発生する摩擦抵抗作用と、トーションコイルスプリング１６６により取付ブラケット１６を先端側のアーム１３に対して上方に回動付勢する力との合力により、取付ブラケット１６と先端側のアーム１３との間が上下方向任意の角度に保持され、台座プレート１５が上下方向任意の角度に調整可能となる。
【００２２】
また、この台座プレート１５の取り付けでは、取付ブラケット１６の一対の軸受部１６４、１６４と先端側のアーム１３の一対の軸受部１３１、１３１との間にこれら一対の軸受部間の任意の回動角度をより確実に固定保持するためにロック装置８が併せて設けられる。
図１及び図４に示すように、このロック装置８は、取付ブラケット１６又は先端側のアーム１３のいずれか一方の軸受部の軸回りに略円弧状に並べて形成される複数のロック溝８１（又はロック穴）、及び他方の軸受部の軸回りに台座プレート１５の回動とともに一方の軸受部の各ロック溝８１（又は各ロック穴）上を相対移動可能にかつ各ロック溝８１（又は各ロック穴）に対向可能に形成される少なくとも１つのガイド穴８２と、他方の軸受部のガイド穴８２上に各ロック溝８１（又は各ロック穴）に向けて進退可能に配設され、かつばね手段により常態として各ロック溝８１（又は各ロック穴）に向けて押圧付勢されるロックピン８３とを有し、ロックピン８３のスライド操作によりロックピン８３と各ロック溝８１（又は各ロック穴）が係脱可能に構成される。
この場合、既述のとおり、先端側のアーム１３の一対の軸受部１３１に、円弧状の端縁部に沿って複数の小さなロック溝８１が略円弧状に並べて形成され（図５参照）、取付ブラケット１６の一対の軸受部１６４の、先端側のアーム１３の各ロック溝８１に対応する前部側の所定の位置に２つのロック穴８２がこの軸受部１６４の前部中心を対称中心として対称位置に形成される。なお、この場合、複数のロック溝８１は先端側のアーム１３の一対の軸受部１３１に１０°刻みで形成され、各ガイド穴８２は取付ブラケット１６の一対の軸受部１６４に複数のロック溝８１のいずれか２箇所に対応可能に形成される。そして、この取付ブラケット１６の一方の軸受部１６４の側面にピンケース８５が設置固定され、ロックピン８３がこのピンケース８５を介して配設される。ピンケース８５は、取付ブラケット１６の２つのガイド穴８２に対して同軸上に円筒状に延び、各ガイド穴８２側の一端部側にガイド穴８２よりも大径のピン挿通部８５１、他端部側にガイド穴８２と略同径のピン挿通部８５２を有し、ロックピン８３を各ガイド穴８２に向けて案内する一対のピンガイド８５０（図２参照）と、これらのピンガイド８５０間を連結する連結部８５３（図２参照）と、これらのピンガイド８５０の一端部に各ピンガイド８５０を取付ブラケット１６の２つのガイド穴８２上に設置可能に平板状に形成され、両端にねじ挿通部を有する固定部８５４とからなる。ロックピン８３は、先端が先細でロック溝８１、ガイド穴８２の内径よりも僅かに小径の円柱状にピンガイド８５０の長さよりも長く形成され、先端から少しだけ後端側に下がった位置にピンガイド８５０の大径のピン挿通部８５１内に配置可能なフランジ８３２を有し、ピンケース８５の各ピンガイド８５０に挿通可能な一対のピン８３１と、この一対のピン８３１の基端部側にこれらのピン８３１間に跨ってねじなどにより取り付けられ、指先が掛かるような指先係合部を有するハンドル８３３（図３参照）とからなる。このロックピン８３は、ハンドル８３３を取り付ける前に、一対のピン８３１が、各ピン８３１の周囲にコイルスプリング８４が巻装されフランジ８３２に係止された状態で、各ピン８３１の基端部から、ピンケース８５の各ピンガイド８５０に大径のピン挿通部８５１から通されてピンケース８５に貫通装着される。そして、各ピンガイド８５０に貫通された各ピン８３１の基端部にハンドル８３３が取り付けられて、ロックピン８３とピンケース８５が組み立てられる。この組み立てにより、ロックピン８３の各ピン８３１は各ピンガイド８５０内に配置される各コイルスプリング８４により付勢力されて、各ピン８３１の先端側が各ピンガイド８５０の先端から突出された状態となる。このようにピンケース８５に装着されたロックピン８３は、各ピン８３１が取付ブラケット１６の２つのガイド穴８２に挿通されて、ピンケース８５が取付ブラケット１６の一方の軸受部１６４に設置され、固定部８５４のねじ挿通部に通されるねじにより一方の軸受部１６４に固定される。このようにしてロックピン８３は取付ブラケット１６の一方の軸受部１６４のガイド穴８２上に各ロック溝８１に向けて進退可能に配設され、かつコイルスプリン���８４の付勢力により常態として各ロック溝８１に向けてスライドして各ロック溝８１に係合され、ロックピン８３をハンドル８３３の操作により引き方向にスライドさせることにより、ロックピン８３が各ロック溝８１から離脱されるようになっている。
【００２３】
さらに、この台座プレート１５の取り付けでは、取付ブラケット１６の前面１６１の台座プレート１５を任意の回転角度に確実に固定保持するために、台座プレート１５の背面側にねじ式のストッパー９が併せて設けられる。
図２及び図５に示すように、ねじ式のストッパー９は、台座プレート１５の背面側の取付ブラケット１６の前面１６１でボルト１５３の周囲、この場合、前面１６１の両側に形成される一対のねじ穴９０と、これらのねじ穴９０に台座プレート１５の背面に向けて進退可能に螺着されるねじ軸９１１、ねじ軸９１１の先端に固定され、台座プレート１５の背面に面接触される摩擦係数の高い材料からなる接触部材９１２、及びねじ軸９１１の後端にねじ軸９１１と一体に回転可能に取り付けられるつまみ９１３からなる一対のストッパー本体９１とを有し、一対のストッパー本体９１が取付ブラケット１６の前面１６１の両側に台座プレート１５の背面を押圧可能に挿着される。このようにして各ストッパー本体９１毎にねじ軸９１１を台座プレート１５の背面に向けて送る方向につまみ９１３を回すことにより、接触部材９１２が台座プレート１５の背面に押圧接触し、台座プレート１５の背面を押えてその回転方向の動きを規制し、つまみ９１３を反対方向に回すことにより、接触部材９１２が台座プレート１５の背面から離れて、台座プレート１５の回転を許容するようになっている。
【００２４】
このようにしてモニターアーム１は基端側のアーム１１が固定ベース１４により車両室内のインストルメンタルパネルなどに固定され、先端側のアーム１３に取り付けられた台座プレート１５にモニターが取り付けられて、モニターが車両室内に各アーム１１、１２、１３の長さの範囲で移動（調整）可能に設置される。
なお、このモニターアーム１はレバー６，６を上下方向に向けて取付先に固定されることにより、中間のアーム１２が基端側のアーム１１に対して軸２１２を中心に左右方向に回動可能となり、先端側のアーム１３が中間のアーム１２に対して軸２２２を中心に左右方向に回動可能となり、台座プレート１５の取付ブラケット１６が先端側のアーム１３に対してピン１７１を中心に上下方向に回動可能となり、台座プレート１５が取付ブラレット１６の前面１６１でボルト１５３を中心に回転可能となる。また、このモニターアーム１がレバー６，６を左右方向に向けて取付先に固定されると、中間のアーム１２が基端側のアーム１１に対して軸２１２を中心に上下方向に回動可能となり、先端側のアーム１３が中間のアーム１２に対して軸２２２を中心に上下方向に回動可能となり、台座プレート１５の取付ブラケット１６が先端側のアーム１３に対してピン１７１を中心に左右方向に回動可能となり、台座プレート１５が取付ブラレット１６の前面１６１でボルト１５３を中心に回転可能となる。
【００２５】
そして、このモニターアーム１により、モニターの位置を調整する場合、固定側及び可動側の各位置決めガイド３、４の非係合状態から、各アーム１１、１２、１３を相互に左右方向又は上下方向に回動し、各アーム１１、１２、１３間を任意の回動角度に調整することにより行う。
図８に基端側のアーム１１に対して中間のアーム１２を左右方向（又は上下方向）に回動して、アーム１全体の左右方向（又は上下方向）の角度を調整する状態を示している。図８に示すように、基端側のアーム１１と中間のアーム１２との間では、基端側のアーム１１に中間のアーム１２が軸２１２を介して左右方向（又は前後方向）に回動可能に結合されており、基端側のアーム１１の固定側の位置決めガイド３に対して中間のアーム１２の可動側の位置決めガイド４が離間されている状態で、基端側のアーム１１に対して中間のアーム１２を右方向若しくは左方向（又は上下方向）に回動すると、この中間のアーム１２の動きとともに可動側の位置決めガイド４が固定側の位置決めガイド３の複数の溝３０１の回りを接触することなしに移動し、中間のアーム１２の回動を停止すると、可動側の位置決めガイド４の爪４０１が固定側の位置決めガイド３の一部の溝３０１に、中間アーム１２が回動を停止された位置で対向される。このようにして基端側のアーム１１に対して中間アーム１２を任意の方向に回動して任意の回動角度を設定する。
図９に中間のアーム１２に対して先端側のアーム１３を左右方向（又は上下方向）に回動して、台座プレート１５の左右方向（又は上下方向）の角度を調整する状態を示している。図９に示すように、中間のアーム１２と先端側のアーム１３との間では、中間のアーム１２に先端側のアーム１３が軸２２２を介して左右方向（又は上下方向）に回動可能に結合されており、先端側のアーム１３の固定側の位置決めガイド３に対して中間のアーム１２の可動側の位置決めガイド４が離間されている状態で、中間のアーム１２に対して先端側のアーム１３を右方向若しくは左方向（又は上下方向）に回動すると、この先端側のアーム１３の動きとともに固定側の位置決めガイド３が可動側の位置決めガイド４の爪４０１の回りを接触することなしに移動し、先端側のアーム１３の回動を停止すると、可動側の位置決めガイド４の爪４０１が固定側の位置決めガイド３の一部の溝３０１に、先端側のアーム１３が回動を停止された位置で対向される。このようにして中間のアーム１２に対して先端側のアーム１３を任意の方向に回動して任意の回動角度を設定する。
このような各アーム１１、１２、１３間の角度調整により、アーム１１、１２、１３全体を固定ベース１４から正面に向けて直状に、右方向若しくは左方向（又は上下方向）に斜めに向けて直状に、右方向若しくは左方向（又は上下方向）に直角に向けて直状に延ばしたり、また、各アーム１１、１２、１３を固定ベース１４から正面に向けてジクザク状若しくはＺ形に、右方向若しくは左方向（又は上下方向）に斜めに向けてジクザク状若しくはＺ形に、右方向若しくは左方向（又は上下方向）に直角に向けてジクザク状若しくはＺ形に折り曲げたり、さらに各アーム１１、１２、１３を固定ベース１４上に折り畳んだりすることができる。
【００２６】
このようにして台座プレート１５の位置（つまり、モニターの位置）が決まったら、図８及び図９に示すように、前後の各レバー６、６を所定の方向に回動操作することにより、各押圧部材５１、５１で各可動側の位置決めガイド４、４を各固定側の位置決めガイド３、３に向けて押圧するとともに、各押圧部材５１、５１と各ロック部５２、５２とを係合させて、各アーム１１、１２、１３間を任意の回動角度にロックする。
この場合、図５に示すように、中間のアーム１２の後側のレバー６を後方に向けて押し、傾動させると、このレバー６の下部に取り付けられた押圧部材５１が後方に向けて回動され、後側の可動側の位置決めガイド４の被押圧溝４５３を後方に向けて押圧し、後側の可動側の位置決めガイド４全体を後側の固定側の位置決めガイド３に向けて押圧移動し、可動側の位置決めガイド４の爪４０１と固定側の位置決めガイド３の一部の溝３０１が強く係合される。そして、このレバー６を少し強く押して押し切ると、押圧部材５１が被押圧溝４５３とロック溝４５４との間の凸部を乗り越えてロック溝４５４に嵌合され、押圧部材５１はこのロック溝４５４の拘束により固定される。これにより、基端側のアーム１１に対して中間のアーム１２が任意の回動角度にロックされる。なお、この場合、基端側のアーム１１の軸受２１の外周面に複数の溝３０１が１０°刻みで形成されているので、中間のアーム１２は基端側のアーム１１に対して１０°刻みで角度調整が可能となる。同様に、中間のアーム１２の前側のレバー６を前方に向けて押し、傾動させると、このレバー６の上部に取り付けられた押圧部材５１が前方に向けて回動され、前側の可動側の位置決めガイド４の被押圧溝４５３を前方に向けて押圧し、前側の可動側の位置決めガイド４全体を前側の固定側の位置決めガイド３に向けて押圧移動し、可動側の位置めガイド４の爪４０１と固定側の位置決めガイド３の一部の溝３０１が強く係合される。そして、このレバー６を少し強く押して押し切ると、押圧部材５１が被押圧溝４５３とロック溝４５４との間の凸部を乗り越えてロック溝４５４に嵌合され、押圧部材５１はこのロック溝４５４の拘束により固定される。これにより、中間のアーム１２に対して先端側のアーム１３が任意の回動角度にロックされる。なお、この場合、先端側のアーム１３の軸受２３の外周面に複数の溝３０１が１０°刻みで形成されているので、先端側のアーム１３は中間のアーム１２に対して１０°刻みで角度調整が可能となる。
【００２７】
また、このモニターアーム１は、台座プレート１５の取付ブラケット１６が先端側のアーム１３に上下方向に回動可能に取り付けられた場合、図４に示すように、ワッシャー１６８、平座金１６９、皿ばね座金１７０により取付ブラケット１６の一対の軸受部１６４、１６４と先端側のアーム１３の一対の軸受部１３１、１３１との間に発生する摩擦抵抗作用と、トーションコイルスプリング１６６により取付ブラケット１６の一対の軸受部１６４、１６４を先端側のアーム１３の一対の軸受部１３１、１３１に対して上方に向けて回動付勢する力との合力により、台座プレート１５の取付ブラケット１６と先端側のアーム１３との間が上下方向任意の角度に保持されるので、台座プレート１５の（正面の）向きが上下方向任意の角度に調整可能で、任意の角度に保持される。
また、このモニターアーム１では、図１０に示すように、ロック装置８が併設されており、このロック装置８により台座プレート１５の回転角度をより確実に固定することができる。この場合、ロック装置８の一対のピン８３１が取付ブラケット１６の一方の軸受部１６４の２箇所の各ガイド穴８２上に２箇所の各ロック溝８１に向けて進退可能に配設され、コイルスプリングの付勢力により常態として２箇所の各ロック溝８１に係合されており、ハンドル８３３の操作により一対のピン８３１を引き方向にスライドさせることにより、一対のピン８３１が２箇所の各ロック溝８１から離脱されるようになっているので、図１０及び図１１に示すように、ハンドル８３３を引き、一対のピン８３１を２箇所の各ロック溝８１から離脱させた状態で、台座プレート１５の回転角度を調整し、回転角度を調整したところで、ハンドル８３３を放せば、一対のピン８３１は当該回転角度に応じた位置で２箇所の各ロック溝８１に挿入し、一対のピン８３１と２箇所の各ロック溝８１との係合により、台座プレート１５の回転方向の動きが規制されて、台座プレート１５の回転角度が固定保持される。なお、この場合、先端側のアーム１３の一対の軸受部１３１に複数のロック溝８１が１０°刻みで形成されているので、台座プレート１５は１０°刻みで角度調整することが可能となる。
さらに、このモニターアーム１では、図１１に示すように、台座プレート１５が取付ブラケットの前面でボルト１５３を中心に回転可能になっていて、この台座プレート１５の回転角度を、図１０に示すように、台座プレート１５の背面側に設けられた２つのねじ式のストッパー９で固定保持することができる。この場合、各ストッパー本体９１毎にねじ軸９１１を台座プレート１５の背面に向けて送る方向につまみ９１３を回すことにより、接触部材９１２が台座プレート１５の背面に押圧接触し、台座プレート１５の背面を押えてその回転方向の動きを規制し、つまみ９１３を反対方向に回すことにより、接触部材９１２が台座プレート１５から離れて、台座プレート１５の回転を許容するようになっているので、各ストッパー９を緩めた状態から台座プレート１５を任意に回転し、回転角度を決めたところで、各ストッパー９を締め込めば、その回転角度が固定保持される。
【００２８】
このようにしてモニターは、このモニターアーム１により、ユーザの所望の位置に長く、安定的に維持される。また、モニターの設置位置を変える場合は、各レバー６、６を所定の方向とは反対方向に傾動操作して、各押圧部材５１と各ロック部５２との係合を外すことにより、各コイルスプリング５３の作用により、各アーム１１、１２、１３間のロックが自動解除されるので、あらためて、各アーム１１、１２、１３を相互に固定側及び可動側の各位置決めガイド３、４を介して左右方向（又は上下方向）に回動し、任意の回動角度に調整した後、既述のとおり、各レバー６、６を所定の方向に傾動操作することにより、各アーム１１、１２、１３間を任意の回動角度にロックすればよい。台座プレート１５の向き、回転角度についても、ロック装置８、ストッパー９による台座プレート１５の固定状態を解除して、その調整を適宜行い、その調整後、台座プレート１５をロック装置８、ストッパー９により同様に固定すればよい。
【００２９】
以上説明したように、このモニターアーム１では、基端側のアーム１１、中間のアーム１２、先端側のアーム１３からなり、これらのアーム１１、１２、１３を連結するヒンジ装置２、２がそれぞれ、各アーム１１、１２、１３の連結端に形成される軸受２１、２２、２３と、各アーム１１、１２、１３の軸受２１、２２間、２２、２３間に挿通される軸２１２、２２２と、隣り合う各アームの少なくとも一方、この場合、基端側、先端側の各アーム１１、１３の軸受２１、２３が略筒形に形成されてその外周面に一体的に形成され、周方向に複数の溝３０１を有する固定側の位置決めガイド３、及び他方、この場合、中間のアーム１２の後側及び前側にそれぞれ配設されて中間のアーム１２と各固定側の位置決めガイド３、３との間に進退可能にかつばね手段を介して常態として固定側の位置決めガイド３、３に対して引き離して配置され、固定側の位置決めガイド３、３側の端部に固定側の位置決めガイド３、３の溝３０１、３０１に係合可能な爪４０１、４０１を有する可動側の位置決めガイド４、４と、中間のアーム１２に回動可能に配設され、可動側の位置決めガイド４、４を固定側の位置決めガイド３、３に向けて押圧可能な押圧部材５１、５１を有するレバー６、６と、可動側の位置決めガイド４、４に設けられ、押圧部材５１、５１により可動側の位置決めガイド４、４を固定側の位置決めガイド３、３に押圧した状態で押圧部材５１、５１が係合しレバー６、６の動きを規制するロック部５２、５２とを備え、各アーム１１、１２、１３を相互に固定側及び可動側の各位置決めガイド３、４の非係合状態により左右方向又は上下方向に回動して、各アーム１１、１２、１３間を任意の回動角度に調整し、レバー６、６を所定の方向に傾動操作することにより、押圧部材５１、５１で可動側の位置決めガイド４、４を固定側の位置決めガイド３、３に向けて押圧し、押圧部材５１、５１とロック部５２、５２とを係合させて、各アーム１１、１２、１３間を任意の回動角度にロックするようにしたので、各アーム１１、１２、１３を任意の角度に調整し、強固に固定することができ、振動を受けやすい車室内でも、モニターを、ユーザの要求する所定の位置に長く、安定的に保持することができる。また、レバー６、６を所定の方向とは反対方向に回動操作することにより、押圧部材５１、５１とロック部５２、５２との係合を外し、各コイルスプリング５３の作用により、各アーム１１、１２、１３間のロックを自動解除することができるので、各アーム１１、１２、１３間の角度の変更調整も容易に行うことができる。
【００３０】
また、このモニターアーム１では、さらに次のような効果を奏する。
（１）中間のアーム１２の軸受２２は軸挿通部２２０，２２０を有する一対の軸受部２２１，２２１からなり、基端側、先端側の各アーム１１、１３の軸受２１、２３はそれぞれ、中間のアーム１２の一対の軸受部２２１，２２１間に嵌合可能に略半円筒形に形成されてその軸芯上に軸挿通部２１０、２３０を有する略半円筒形の軸受からなり、基端側、先端側の各アーム１１、１３の各軸受２１、２３が中間のアーム１２の一対の軸受部２２１，２２１間、２２１，２２１間に各軸挿通部２１０，２２０、２３０，２２０の軸芯を合わせて嵌め込まれ、軸２１２、２２２が各軸受２２，２１間、２２，２３間に各軸挿通部２２０，２１０、２２０，２３０を通じて挿通されるようになっていて、固定側の位置決めガイド３、３はそれぞれ、基端側、先端側の各アーム１１、１３の各軸受２１、２３の外周面に一体的に形成されるので、基端側、中間、先端側の各アーム１１、１２、１３の連結とともに固定側の位置決めガイド３、３を簡易に組み込むことができる。
（２）中間のアーム１２内の後側及び前側のそれぞれに、前後の可動側の位置決めガイド４、４の爪４０１、４０１側の一方の端部を支持するための一端側支持部２４、２４及びその反対の他方の端部側を支持するための他端側支持部２５、２５が設けられ、中間のアーム１２内に前後の各可動側の位置決めガイド４、４が取り付けられるようになっていて、これに対して、前後の可動側の位置決めガイド４、４はそれぞれ一方の端部が一端側支持部２４、２４のフレーム２４１、２４１に挿通支持され、他方の端部が他端側支持部２５、２５の挿通穴２５０、２５０に挿通支持され、他方の端部側と他端側支持部２５、２５との間に可動側の位置決めガイド４、４を一端側支持部２４、２４側から他端側支持部２５、２５側へ引張り付勢可能にコイルスプリング５３、５３が介装されて、これらコイルスプリング５３、５３により、可動側の位置決めガイド４、４が常態として固定側の位置決めガイド３、３に対して引き離し方向に付勢されるので、中間のアーム１２内に可動側の位置決めガイド４、４を簡易に組み込むことができ、可動側の位置決めガイド４、４を常態として固定側の位置決めガイド３、３に対して引き離し方向に確実に引張り付勢することができる。
（３）前後の各可動側の位置決めガイド４、４はそれぞれ、両側面４５，４５間、４５，４５間に複合形状の開口４５０、４５０が形成され、この開口４５０、４５０は各可動側の位置決めガイド４、４の他方の端部側から一方の端部側に向けて長い略長穴形状に形成されて、当該長穴形状の他方の端部側に、可動側の位置決めガイド４、４を軸支するためのシャフト挿通部４５１、４５１が設けられ、一方の端部側に、押圧部材５１、５１を通し、当該押圧部材５１、５１の押圧力を受けて可動側の位置決めガイド４、４を固定側の位置決めガイド３、３に向けて押圧移動するための被押圧溝４５３、４５３、及び当該被押圧溝４５３、４５３の終端側に押圧部材のロック部５２、５２として形成され、押圧部材５１、５１を嵌め込みその周囲を拘束固定するためのロック溝４５４、４５４を有する押圧部材挿通部４５２、４５２が設けられている。これに対して、レバー６、６はそれぞれ、レバー本体６１、６１と、レバー本体６１、６１の枢支側端部に可動側の位置決めガイド４、４の開口４５０、４５０両側に並列配置可能に形成されて、シャフト挿通部４５１、４５１及び押圧部材挿通部４５２、４５２に対応するシャフト通し部６２１、６２１及び押圧部材通し部６２２、６２２を有する一対のレバーベース６２，６２、６２，６２とを備え、一対のレバーベース６２，６２、６２，６２が可動側の位置決めガイド４、４の開口４５０、４５０両側に配置されて、押圧部材挿通部４５２，４５２間、４５２，４５２間に可動側の位置決めガイド４、４の押圧部材通し部６２２、６２２を通じて挿通配置されるローラ軸５１１、５１１を介してローラ５１０、５１０からなる押圧部材５１、５１が装着される。このようにしてこれら可動側の位置決めガイド４、４及びレバー６、６が中間のアーム１２の両側面１２３、１２３間に配置されるとともに、レバー本体６１、６１が中間のアーム１２の内部から外部に突出されて、中間のアーム１２の両側面１２３、１２３間に配置されるシャフト７、７が各一対のレバーベース６２，６２、６２，６２の各シャフト通し部６２１，６２１間、６２１，６２１間及び可動側の位置決めガイド４、４のシャフト挿通部４５１、４５１に挿通されて、レバー６、６が可動側の位置決めガイド４、４の他方の端部と一方の端部との間を傾動可能に配置され、押圧部材５１、５１が可動側の位置決めガイド４、４の押圧部材挿通部４５２、４５２内にレバー６、６の傾動により被押圧溝４５３、４５３を押圧可能にかつロック溝４５４、４５４に嵌合可能に配置され、可動側の位置決めガイド４、４が中間のアーム１２内で押圧部材５１、５１の押圧により、固定側の位置決めガイド３、３に圧接可能に配置されるので、可動側の位置決めガイド４、４とレバー６、６を簡易に作動連結し、レバー６、６の操作により、可動側の位置決めガイド４、４を固定側の位置決めガイド３、３に向けて簡単かつ確実に押圧して、その押圧位置で可動側の位置決めガイド４、４を確実に固定することができる。
（４）台座プレート１５と先端側のアーム１３は、台座プレート１５の背面側に設けられる一対の軸受部１６４，１６４と先端側のアーム１３に設けられる一対の軸受部１３１，１３１とこれらの軸受部１６４，１６４、１３１，１３１間に挿通されるピン１７１とにより、台座プレート１５が先端側のアーム１３に各アーム１１、１２、１３間の回動方向に対して直交する方向に回動可能に取り付けられ、台座プレート１５の一対の軸受部１６４，１６４又は先端側のアームの一対の軸受部１３１，１３１のいずれか一方の軸回り、この場合、先端側のアーム１３の一対の軸受部１３１，１３１に略円弧状に並べて形成される複数のロック溝８１（又はロック穴）、及び他方の軸回り、この場合、台座プレート１５の一対の軸受部１６４，１６４に台座プレート１５の回動とともに先端側のアーム１３の各ロック溝８１（又は各ロック穴）上を相対移動可能にかつ各ロック溝８１（又は各ロック穴）に対向可能に形成される、この場合、２つのガイド穴８２と、台座プレート１５の一対の軸受部１６４，１６４の各ガイド穴８２上に各ロック溝８１（又は各ロック穴）に向けて進退可能に配設され、かつばね手段により常態として各ロック溝８１（又は各ロック穴）に向けて押圧付勢されるロックピン８３とを有し、ロックピン８３のスライド操作によりロックピン８３と各ロック溝８１（又は各ロック穴）とを係脱するロック装置８により、台座プレート１５の先端側のアーム１３に対する回動角度が固定保持されるので、このロック装置８のロックピン８３によるクサビ作用によって、台座プレート１５の取付ブラケット１６と先端側のアーム１３との間の任意の回動角度を完全に固定することができ、これにより、台座レート１５を上下方向任意の角度に向け、これを確実に固定することができる。
（５）台座プレート１５は略平面状に形成され、その略中心に挿通されるボルト１５３を介して背面側の取付ブラケット１６の前面１６１に回転可能に取り付けられ、この取付ブラケット１６にボルト１５３の周囲で台座プレート１５の背面を押圧可能に挿着されるねじ式のストッパー９により台座プレート１５の回転角度が固定保持されるので、台座プレート１５を任意の回転角度に調整し確実に固定することができる。
【００３１】
なお、この実施の形態では、ヒンジ装置２において、固定側の位置決めガイド３の端部に溝３０１を設け、可動側の位置決めガイド４の端部に爪４０１を設けたが、これに代えて、固定側の位置決めガイド３の端部に穴を設け、可動側の位置決めガイド４の端部に当該穴に係合可能な凸起を設けてもよく、このようにしても上記実施の形態と同様の作用効果を得ることができる。また、このヒンジ装置２では、押圧部材５１の可動側の位置決めガイド４に対する押圧状態を固定するため、可動側の位置決めガイド４に押圧部材５１を嵌合し拘束可能なロック溝４５４を設けたが、このようなロック形状部を中間のアーム１２側に形成してもよい。また、この押圧部材５１の可動側の位置決めガイド４に対する押圧状態を固定するために、レバー６の一部が係合し、ロック可能なロック部を可動側の位置決めガイド４又はアーム１２に設けてもよい。このようにしても上記実施の形態と同様の作用効果を得ることができる。
【００３２】
また、この実施の形態では、機器支持アーム１を基端側のアーム１１、中間のアーム１２、先端側のアーム１３により構成したが、基端側のアーム及び先端側のアームの２アームにより構成してもよく、また、中間アームを複数のアームにより構成してもよく、この場合でも、各アーム間をヒンジ装置２により連結することにより、上記実施の形態と同様の作用効果を得ることができる。
【００３３】
さらに、この実施の形態では、ロック装置８を設置するため、先端側のアーム１３の一対の軸受部１３１、１３１の端部に略円弧状に複数のロック穴８１を形成し、台座プレート１５の取付ブラケット１６の一対の軸受部１６４、１６４の側面で先端側のアーム１３の各軸受部１３１、１３１の端部に対応する所定の位置にガイド穴８２を形成したが、取付ブラケット１６の一対の軸受部１６４、１６４は先端側のアーム１３の一対の軸受部１３１、１３１内に配置してもよく、この場合は、取付ブラケット１６の各軸受部１６４、１６４の端部に略円弧状に複数のロック穴を形成し、先端側のアーム１３の各軸受部１３１、１３１の両側面で取付ブラケット１６の各軸受部１６４、１６４の端部に対応する所定の位置にガイド穴を形成してもよい。また、複数の穴８１は複数の溝に代えてもよい。このようにしても上記実施の形態と同様の作用効果を得ることができる。
【００３４】
またさらに、この実施の形態では、機器支持アーム１を、特にモニターを乗用車やトラックなどの車両内に設置するための車両用のモニターアームとして例示したが、この機器支持アーム１は、モニターの他、パソコンやテレビなどの各種の機器をオフィスや家庭などに設置したり、また自動車その他の車両の他、飛行機や船舶などに設置したりする場合にも、同様に使用することができ、上記実施の形態と同様の作用効果を得ることができる。
【符号の説明】
【００３５】
１  モニターアーム（機器支持アーム）
１１  基端側のアーム
１１０  ねじ穴
１２  中間のアーム
１２１  上面
１２２  下面
１２３  側面
１２４  スリット
１２５  スリット
１２６  シャフト挿通部
１２７  クランプ
１３  先端側のアーム
１３０  軸挿通部
１３１  円弧状の平板（軸受部）
１４  固定ベース
１４０  ねじ挿通穴
１４１  ねじ挿通穴
１５  台座プレート（台座）
１５１  凹部
１５２  ボルト挿通穴
１５３  ボルト（軸）
１５４  ナット
１５５  ワッシャ
１６  取付ブラケット
１６０  取付穴
１６１  前面
１６２  側面
１６３  軸挿通部
１６４  軸受部（軸受）
１６５  スペーサ
１６６  トーションスプリング
１６８  ワッシャ
１６９  平座金
１７０  皿ばね座金
１７１  ピン（軸）
２  ヒンジ装置
２１  軸受
２１０  軸挿通部
２１２  軸
２２  軸受
２２０  軸挿通部
２２１  軸受部
２２２  軸
２３  軸受
２３０  軸挿通部
２４  一端側支持部
２４１  フレーム
２５  他端側支持部
２５０  挿通穴
２６  ワッシャ
２７  皿ばね座金
３  固定側の位置決めガイド
３０１  溝
４  可動側の位置決めガイド
４０１  爪
４Ｆ  前側の可動側の位置決めガイド
４Ｒ  後側の可動側の位置決めガイド
４１  上面（下面）
４１１  係止突起
４２  下面（上面）
４３  後端面（前端面）
４４  前端面（後端面）
４５  側面
４５０  開口
４５１  シャフト挿通部
４５２  押圧部材挿通部
４５３  被押圧溝
４５４  ロック溝
４５５  切り欠き
４５６  突状部
５１  押圧部材
５１０  ローラ
５１１  ローラ軸
５２  ロック部
５３  コイルスプリング
６  レバー
６１  レバー本体
６２  レバーベース
６２１  シャフト通し部
６２２  押圧部材通し部
６３  作動ピン
７  シャフト
８  ロック装置
８１  ロック溝（又はロック穴）
８２  ガイド穴
８３  ロックピン
８３１  ピン
８３２  フランジ
８３３  ハンドル
８４  コイルスプリング
８５  ピンケース
８５０  ピンガイド
８５１  ピン挿通部
８５２  ピン挿通部
８５３  連結部
８５４  固定部
９  ねじ式のストッパー
９０  ねじ穴
９１  ストッパー本体
９１１  ねじ軸
９１２  接触部材
９１３  つまみ
【図１】
2013019440.tif 000003
【図２】
2013019440.tif 000004
【図３】
2013019440.tif 000005
【図４】
2013019440.tif 000006
【図５】
2013019440.tif 000007
【図６】
2013019440.tif 000008
【図７】
2013019440.tif 000009
【図８】
2013019440.tif 000010
【図９】
2013019440.tif 000011
【図１０】
2013019440.tif 000012
【図１１】
2013019440.tif 000013